(57)【特許請求の範囲】
【請求項１】
室内に扱胴（３）を回転自在に支持した扱室（４）と、室内に処理胴（２７）を回転自在に支持した処理室（２４）と、前記扱胴（３）による処理物及び処理胴（２７）による処理物の選別処理を行う選別室（７）とを備え、処理室（２４）を扱室（４）の側方に配置し、扱室（４）と処理室（２４）とを連通口（２６）を介して連通させ、扱室（４）から遠い側の処理室（２４）の側壁を着脱可能なカバー体（３１）によって構成した脱穀装置において、カバー体（３１）を下側カバー体（３７）と上側カバー体（３６）とに上下分割するとともに、上側カバー体（３６）の板厚に対して下側カバー体（３７）の板厚が厚くなるように形成し、下側カバー体（３７）と上側カバー体（３６）とを各別に取り外し可能に構成し、下側カバー体（３７）に処理網（３８）を設け、処理網（３８）から漏下する処理物を選別室（７）に案内する案内カバー（４１）を下側カバー体（３７）に着脱可能に取付けた脱穀装置。
【発明の詳細な説明】
【技術分野】
【０００１】
この発明はコンバイン等の脱穀装置に関し、特に扱室に隣接して設けられる処理室の外側カバーの改良に関するものである。
【背景技術】
【０００２】
一般にコンバイン等の脱穀装置には、特許文献１に示されるように扱室より未処理状態で排出される処理物を導入して再処理する処理室が扱室後部側方に連通して設けられており、この処理室には処理胴が前後方向に軸支され、処理胴の扱室側は半円筒形の受網が、外側には同じく半円筒形の一体物の処理室カバーが設けられている（特許文献１、図５〜６）。
【特許文献１】特開２００２−１７６８３７号公報
【発明の開示】
【発明が解決しようとする課題】
【０００３】
しかし上記処理室カバーは単に全体が一体であるだけでなく、大量の未処理物の導入にも耐え、さらに処理胴の回転時の振動を防止するために一定の強度（剛性）が求められ全体の重量も大きいので処理室内部のメンテナンス作業時等のカバーの取り外しや取付作業に多大な労力を要する等の問題があった。
【課題を解決するための手段】
【０００４】
上記課題を解決するための本発明の脱穀装置は、室内に扱胴３を回転自在に支持した扱室４と、室内に処理胴２７を回転自在に支持した処理室２４と、前記扱胴３による処理物及び処理胴２７による処理物の選別処理を行う選別室７とを備え、処理室２４を扱室４の側方に配置し、扱室４と処理室２４とを連通口２６を介して連通させ、扱室４から遠い側の処理室２４の側壁を着脱可能なカバー体３１によって構成した脱穀装置において、カバー体３１を下側カバー体３７と上側カバー体３６とに上下分割するとともに、上側カバー体３６の板厚に対して下側カバー体３７の板厚が厚くなるように形成し、下側カバー体３７と上側カバー体３６とを各別に取り外し可能に構成し、下側カバー体３７に処理網３８を設け、処理網３８から漏下する処理物を選別室７に案内する案内カバー４１を下側カバー体３７に着脱可能に取付けたことを特徴としている。
【発明の効果】
【０００５】
以上のように構成される本発明の脱穀装置によれば、カバー体を下側カバー体と上側カバー体とに上下分割形成し、下側カバー体と上側カバー体とを各別に取り外し可能に構成することにより、処理室内のメンテナンスを行うためにカバー体全てを取り外す必要がなくなるため、処理室メンテナンス時の作業負担が軽減するという効果がある。
【０００６】
また、上側カバー体と下側カバー体とを板厚が異なるように形成することにより、脱穀装置の処理室内のメンテナンスを行う際に板厚が薄い側のカバー体を取り外すようにすることにより、処理室メンテナンス時の作業負担がより一層軽減するという効果がある。
【０００７】
さらに、上側カバー体の板厚に対して下側カバー体の板厚が厚くなるように形成し、下側カバー体に処理網を設け、処理網から漏下する処理物を選別室に案内する案内カバーを下側カバー体に着脱可能に取付けた脱穀装置の案内カバーを取り外すことにより、選別室内のメンテナンスも可能になるため、メンテナンス性が向上する。
【発明を実施するための最良の形態】
【０００８】
以下図示する実施形態につき詳述すると、図１はコンバインの脱穀機１（脱穀装置）の進行方向左側の側面図を表わしており、その前方には図示しない穀稈刈取・搬送部（前処理部）が連結され、脱穀機１は機体フレーム２上に組付けられており、コンバインでは機体フレーム２がクローラ（図示しない）に支持されている。
【０００９】
機体フレーム２の前部上方には内部に扱胴３を前後方向に軸支した扱室４と、その下方に受網６を介して脱穀された穀粒を芥類等と選別して回収する選別室７とが設けられている。扱室４の左側方には前処理部より送られた穀稈を把持して扱室４に挿入して脱穀させるフィードチェン８が、選別室７内下部には前方から唐箕９，１番らせん１１，シロッコファン１２，２番らせん１３が左右方向に軸支され、これらにより扱室４及び後述する処理室２４より落下（漏下）する処理物を穀類と芥類に風選する。さらに選別室７内には各らせん１１，１３の右端より、機体右側のグレンタンク１４と再処理部へ搬送する上下方向の揚穀らせん１６，２番還元オーガ１７が設けられるほか、扱室４と処理室２４との下方に揺動選別部１８等が設けられている。
【００１０】
選別室７の後方上部には、吸引ファン１９を備えて芥類を後方に排出する排塵室２１が連通開口して設けられ、フィードチェン８の後方には排藁搬送部２２，カッター部２３等が順次設置されている。
【００１１】
筒状に形成される処理室２４は図２に示すように扱室４の後方外側（右側）位置で連通口２６を介して連通して前後方向に設けられ、その中心部には処理胴２７が前後方向に軸支されている。そして扱室４で未処理状態の処理物が連通口２６を介して処理室２４に送られ処理胴２７の回転によって処理されながら後方に送られる。
【００１２】
処理室２４は連通口２６の後方の内側（扱室４側，右側）周壁が半円筒状の処理網（クリンプ網）２８で構成され、その後端部底部側には排塵口２９が開口して設けられている。扱室４から送られた芥類を含む未処理の穀類は回転する処理胴２７外周に突設された移送らせん２７ａ及び処理歯２７ｂによって後方に搬送されながら処理される。
【００１３】
未処理物は穂先穀稈等の芥類から分離された穀粒を処理網２８を介して下部の選別室７に落下させ、処理胴２７後部外周の排出羽根２７ｃによって後方の排塵口２９より芥類が排塵室２１に吸引放出される。
【００１４】
処理室２４の機体中心より外側外周は角筒形又は円筒形のカバー体３１が前後壁３２，３３及び脱穀機１のフレーム側に対してボルト締め等により着脱可能に取付けられて周壁を形成している。そしてカバー体３１は図４，図６，図７に示すように上下に筒片状に２分割されて上側カバー３６（上側カバー体）と下側カバー３７（下側カバー体）とが、上側カバー３６と下側カバー３７から外側にそれぞれ突出するフランジ部３６ａ，３７ａ同士を複数のノブ付ボルト３４により締着固定させることにより、上下各別に組付け及び分解可能な構造になっている。上記ノブ付ボルト３４により、下側カバー３７と上側カバー３６の着脱作業を容易に行うことができる。
【００１５】
３６ｂ，３７ｂは上下各側カバー３６，３７の上端又は下端に突設された取付用のフランジ部であり、これらの部分が脱穀機１のフレーム側にボルト固定される。この際、下側カバー３７を上側カバー３６と比較して板厚が厚くなるように形成してフレーム部材も兼ねるようにさせるため、下側カバー３７のフランジ部３７ｂは、通常のボルト３５により脱穀機１のフレーム側に強固に固定される。一方、上側カバー３６は、着脱時の作業性を考慮し、上記フランジ部３６ｂがノブ付ボルト３４によって脱穀機１のフレーム側に取付固定される。
【００１６】
さらに下側カバー３７の後半部には、排塵口２９及び排出羽根２７ｃの位置と重ならない前後長で網目状に打抜かれたパンチングメタル等からなる処理網３８が処理室２４の周壁の一部を構成するように設けられている。該処理網３８の前後の下側カバー３７の外周には、フランジ状の前後壁３９，３９が上下方向に突設され、この前後壁３９，３９間には案内カバー４１が所定の間隔よりなる案内間隙４２を介して処理網３８外周を覆い且つ選別室７に開口部４３を介して連通開放されるようにボルト固定されている。なお、このボルト固定には、着脱作業の効率化を考慮し、前述のノブ付ボルト３４を用いる。
【００１７】
上記案内カバー４１の下端部（又は下部周縁）は、上記選別室７への開口部４３の周縁外側面に設けられたひだ状の差込部４４に挿脱可能に差込まれ、組付け時の外部との密閉を図っている。また、差込部４４に案内カバー４１の下端部を差込むことにより、案内カバー４１を下側カバー３７にボルト固定することなく、脱穀機１のフレーム側に単独で取り付けることができる。
【００１８】
以上により、処理室２４内で脱粒された穀粒は２つの処理網２８，３８を介して選別室７に落下排出され、最終的にグレンタンク１４内に回収される。
【００１９】
既述のようにカバー体３１は一定の強度（剛性）が求められる反面、着脱時の取扱いの容易性が求められるため、上側カバー３６と下側カバー３７のいずれか一方を薄い板材を用いて軽量化し、他方を比較的厚みのある板材を用いて剛性を与える（強度アップを図る）等の工夫が望ましい。図示する例では前述したように下側カバー３７の板材の板厚を大きくして受止め側のカバーの強化を図り、下側カバー３７にフレーム部材の機能をもたせている。
【００２０】
以上のように構成される脱穀機１によれば、上側カバー３６を取り外すことにより、処理室２４内の藁屑除去等のメンテナンスを容易に行うことが可能になる他、案内カバー４１を取り外すことにより、開口部４３を介して選別室７内の掃除等のメンテナンスを簡単に行うことができる。また、下側カバー３７を取り外して処理室２４を大きく開放させることにより、処理網２８の着脱作業等のメンテナンスをより容易に行うことができる。
【図面の簡単な説明】
【００２１】
【図１】脱穀機の内部構造を示す側面図である。
【図２】扱室と処理室の配置構造を示す平面図である。
【図３】脱穀機の処理室外観を示す左側斜視図である。
【図４】脱穀機の処理室の構造を示す分解斜視図である。
【図５】下側カバーを取り外した脱穀機の処理室の構造を示す分解斜視図である。
【図６】処理室の上下カバーの構造を示す断面図である。
【図７】処理室の案内カバー及び処理網部の断面図である。
【符号の説明】
【００２２】
１    脱穀機（脱穀装置）
３    扱胴
４    扱室
７    選別室
２４  処理室
２７  処理胴
３１  カバー体
３６  上側カバー（上側カバー体）
３７  下側カバー（下側カバー体）
３８  処理網
４１  案内カバー
【図１】
0004988526.tif 000002
【図２】
0004988526.tif 000003
【図３】
0004988526.tif 000004
【図４】
0004988526.tif 000005
【図５】
0004988526.tif 000006
【図６】
0004988526.tif 000007
【図７】
0004988526.tif 000008